(57)【特許請求の範囲】
【請求項１】
トレンドデータベースを格納した記憶装置と、トレンド分析を実行する制御装置を備えてネットワーク上に開設したトレンド分析装置の表示方法であって、
前記制御装置は、前記ネットワークを介して、トレンド分析端末機からの要求を受け付けて、その要求に基いて対応するトレンド分析画面を提供するものであり、
前記制御装置は、
前記トレンド分析画面に、表示画面上に２次元グラフを表示するワークエリアと、ワークエリアの１辺に隣接するスクロールバーとを表示し、トレンドデータベースからX軸分析項目とY軸分析項目とZ軸分析項目を読み込み、前記ワークエリアにX軸分析項目とY軸分析項目により２次元グラフを生成し、予め設定されるZ軸分析項目のソート条件に基づいて、前記スクロールバーの移動指示に伴って順次Ｚ軸分析項目に対応するX軸分析項目とY軸分析項目の前記２次元グラフを前記ワークエリアに生成し、
前記ワークエリアに表示される２次元グラフのY軸に、任意に設定可能な上限値と下限値を設定し、
この設定を超えるまたは下まわるエリアを上限エリアと下限エリアとして前記ワークエリアに表示し、
この設定を超えるまたは下まわる場合は前記スクロールバーの対応するZ軸値にマークを表示させ、
前記上限値または下限値の設定が変更を受け付けた場合、該上限値または下限値を再計算し、前記マークの表示を変更する
ことを特徴とするトレンド分析装置の表示方法。
【請求項２】
前記請求項１記載のトレンド分析装置の表示方法において、
前記制御装置は、前記スクロールバーの範囲選択の指示を受け付けた場合、選択された範囲の前記２次元グラフを重ねて前記ワークエリアに表示可能である
ことを特徴とするトレンド分析装置の表示方法。
【請求項３】
前記請求項１または２記載のトレンド分析装置の表示方法において、
前記スクロールバーに割り当てられる前記Z軸分析項目はソート可能である
ことを特徴とするトレンド分析装置の表示方法。
【請求項４】
前記請求項１から３記載の何れかのトレンド分析装置の表示方法において、
前記X軸分析項目と前記Y軸分析項目と前記Z軸分析項目は、前記トレンド分析画面上での選択操作に基いて前記トレンドデータベースの分析項目をリスト表示し、このリスト表示での選択に基いて各軸の分析項目の変更を受け付けて前記トレンド分析画面の再生成を行う
ことを特徴とするトレンド分析装置の表示方法。
【発明の詳細な説明】
【技術分野】
【０００１】
本発明は、関連する３項目以上の分析項目から傾向を分析するトレンド分析装置の表示方法に関する。
【背景技術】
【０００２】
近年、パーソナルコンピュータでは３次元の立体グラフ（３次元グラフ）を簡単に作成することができる。この立体グラフによれば、全体の状況や傾向を視覚的に簡単に把握することができる。そして、この立体グラフは、各種の情報機器や産業機器でも応用されている。
【０００３】
例えば、ICテスタにおいては、複数個の測定対象ICの測定結果を立体グラフ形式で立体的に表示することで、測定条件パラメータの変化に伴うフェイル率などの測定結果の変化傾向を直感的に把握できるものが提案されている。
【０００４】
また、プラント監視装置においては、プラント設備からの各種計測値を計測処理部で収集して、３次元トレンドデータに編集して保存処理部のトレンドデータのデータベースに保存し、運転員のモニタ上での所望のトレンドデータ表示の指示を受け付けてトレンドデータから指定したトレンドデータを抽出し、表示処理部に３次元トレンドグラフを表示することにより、プラントの運転状況を把握しやすいトレンドを３次元グラフに表示する技術が提案されている。
【先行技術文献】
【特許文献】
【０００５】
【特許文献１】特開２００９−９２４２１号
【特許文献２】特開平９−１９８１２６号
【発明の概要】
【発明が解決しようとする課題】
【０００６】
立体グラフは、関連する３項目以上の分析項目の変化傾向を直感的に把握することができるので、全体の状況を視覚的に簡単に把握することができるため、有効な分析手法である。しかし、立体グラフは直感的な把握には有効であるが、詳細な分析にはあまり適していない。
【０００７】
例えば、特許文献２の従来例では、立体グラフのZ軸を固定してXY軸の任意の位置で断面を表示することができる。しかし、この従来例では、立体グラフをベースに、この立体グラフ上に断面を重ね表示するために、XY軸で描かれる２次元グラフを斜面図で変形させてみることとなる。
【０００８】
また、この種のトレンド分析においては、異常値、例えば、上限／下限値を見つけることが重要な要素であるが、前記従来例では、立体グラフの表面変化を視覚的に確認しなければならない。しかも、この従来例では、立体グラフの表面変化から視覚的に異常値を確認し、この異常値を含む断面を新たに生成して表示させる処理を行わなければならない。しかも、異常値の変化を簡単に把握することができない課題もある。
【０００９】
そこで、本発明は、前記課題を解決するために成されたものであり、その目的は、２次元グラフをベースに３次元グラフの機能をも兼ね備えたトレンド分析装置の表示方法を提供することにある。
【課題を解決するための手段】
【００１０】
前記目的を達成するために、この発明に係るトレンド分析装置の表示方法では、表示画面上に２次元グラフを表示するワークエリアと、ワークエリアの１辺に隣接するスクロールバーとを表示し、データベースからX軸分析項目とY軸分析項目とZ軸分析項目を読み込み、ワークエリアにX軸分析項目とY軸分析項目により２次元グラフを生成し、予め設定されるZ軸分析項目のソート条件に基づいて、前記スクロールバーの移動指示に伴って順次Ｚ軸分析項目に対応するX軸分析項目とY軸分析項目の２次元グラフを前記ワークエリアに生成するようにする。
【発明の効果】
【００１１】
この発明によれば、ワークエリアに表示される２次元グラフがスクロールバーでの指示によりY軸分析項目に対応して順次表示されるので、２次元グラフが積層された立体グラフとして利用者に提供することができるから、大まかなトレンドの変化をスクロールバーを操作することで簡単に把握し、詳細については、ワークエリアに表示される２次元グラフで確認することができる。
【図面の簡単な説明】
【００１２】
【図１】この発明に係るトレンド分析システムのシステム構成図である。
【図２】この発明に係るトレンドデータベースのデータ構成図である。
【図３】この発明に係るトレンド分析サーバの動作フロー図である。
【図４】この発明に係るトレンド分析画面の画面遷移図である。
【図５】この発明に係るトレンド分析画面の画面遷移図である。
【図６】この発明に係るトレンド分析画面の画面遷移図である
【図７】この発明に係るトレンド分析画面の画面遷移図である。
【図８】この発明に係るトレンド分析画面の画面遷移図である。
【図９】この発明に係るトレンド分析画面の画面遷移図である。
【図１０】この発明に係るトレンド分析画面の画面遷移図である。
【図１１】この発明に係るトレンド分析画面の画面遷移図である。
【図１２】この発明に係るトレンド分析画面の画面遷移図である。
【図１３】この発明に係るトレンド分析画面の画面遷移図である。
【発明を実施するための形態】
【００１３】
以下、図１から図１３を参照して、この発明に係るトレンド分析装置を具体的に説明する。以後の説明では、ネットワークを介してサーバに蓄積したデータベースに関するトレンドを端末機で分析可能なトレンド分析システムに適用した事例で説明する。もちろん、１つの端末機にデータベースを蓄積し、このトレンドをこの端末機内で分析するトレンド分析装置にも適用することができる。
【００１４】
先ず、図１を参照して、このトレンド分析システムのシステム構成と概略を説明する。ここで、図１はこの実施例に係るトレンド分析システムのシステム構成図である。
【００１５】
図１において、このトレンド分析システムは、ネットワーク１０に接続されるトレンド分析サーバ２０と、このトレンド分析サーバ２０に各種データを提供するトレンド入力装置３０と、トレンド分析サーバ２０で生成されるトレンド分析画面１００を取得してトレンド分析を行うことが可能なトレンド分析端末機４０とを含んで構成される。
【００１６】
トレンド分析サーバ２０は、このトレンド分析サーバを統括的に制御して、トレンド分析を実行するサーバ制御装置２１と、トレンド入力装置３０から取得したデータをトレンドデータベース２３に格納する記憶装置２２とを含んで構成される。ここで、トレンドデータベース２３には、関連する３項目以上の分析項目を含んで構成される。例えば、このトレンドデータベース２３では、個人の体温の時系列変化として、「個人」「体温」「時間」を含む関連する３項目以上の分析項目を含んで構成される。
【００１７】
また、トレンド入力装置３０は、関連する３項目以上の分析項目をまとめてトレンド分析サーバ２０に提供するパーソナルコンピュータで構成してもよいし、あるいは、製造ラインの各工程における生産数量を提供する入力装置（センサ含む）で構成してもよい。したがって、トレンド入力装置３０は、ネットワーク１０に接続するための図示しない通信装置と、図示しない入力装置またはセンサと、図示しない記憶装置と、図示しない制御装置を含んで構成される。そして、これらトレンド入力装置３０は、トレンドデータベース２３に格納される識別番号と関連する分析項目の少なくとも１つを含んだトレンドデータをトレンド分析サーバ２０に提供する。
【００１８】
また、トレンド分析端末機４０は、トレンド分析サーバ２０にネットワーク１０を介して接続し、トレンド分析サーバ２０で生成したトレンド分析画面１００を介して各種のトレンド分析を可能とするものである。この実施例で採用するトレンド分析端末機４０は、このトレンド分析端末機４０を統括的に制御する端末制御装置４１と、各種の情報を記憶する端末記憶装置４２と、キーボードやマウスなどから成る端末入力装置４３と、トレンド分析サーバ２０にアクセスするための端末通信装置４４と、トレンド分析画面１００を表示するための表示装置４５とを含んで構成される。
【００１９】
この実施例に係るトレンド分析端末機４０は、トレンド分析サーバ２０にアクセスして、トレンド分析サーバ２０が生成するトレンド分析画面１００を取得して、その分析操作を行うものであるため、極一般的なパーソナルコンピュータや携帯端末などで構成することができる。つまり、トレンド分析端末機４０は、端末通信装置４４と、表示装置４５と、
トレンド分析画面１００を操作するための端末入力装置４３を備えていれば足りる。
【００２０】
そして、このトレンド分析システムの大きな特徴の１つは、トレンド分析画面１００上にグラフを表示するワークエリア１０１と、このワークエリア１０１の１辺に隣接するスクロールバー１１０とを表示し、トレンドデータベース２３からX軸分析項目１５１とY軸分析項目１５２とZ軸分析項目１５３を読み込み、ワークエリア１０１にX軸分析項目５１とY軸分析項目１５２により２次元グラフ２００を生成し、予め設定されるZ軸分析項目１５３のソート条件に基づいて、前記スクロールバー１１０での移動指示に伴って順次Ｚ軸分析項目１５３に対応するX軸分析項目１５１とY軸分析項目１５２の２次元グラフを前記ワークエリア１０１に生成する点にある。
【００２１】
即ち、従来技術においては、図１の吹出し内に示すような３次元グラフを表示画面上に表示する技術が知られている。しかし、この３次元グラフは、直感的な把握には有効であるが、詳細な分析にはあまり適していない。やはり分析精度を上げるためには、２次元グラフが有効である。しかし、２次元グラフではZ方向の繋がりが不鮮明である。そこで、この発明者らは、X軸とY軸からなる２次元データをZ軸方向（奥行き方向）に積層させて準備し、このZ軸方向をマウスなどの端末入力装置４３の操作によりスクロールさせる表示方法を考案した。
【００２２】
例えば、この実施例では、ワークエリア１０１に２次元グラフ２００を表示し、マウスのホイールに割り当てたスクロール操作により、Z軸方向に対応するデータに対応して積層される２次元グラフ２００を、そのスクロールにしたがって順次表示されるようにする。これにより、連続する２次元グラフ２００を動画のようにワークエリア１０１に表示されることができる。しかも、スクロールバー１１０は、Z軸方向の個数に対応して分割されており、現在表示されている２次元グラフ２００に対応するZ軸値にポインタ１１１が表示されるから、全体の位置関係も把握できる。この実施例に係る表示方法によれば、２次元グラフ２００の精度と、３次元グラフ１５０における直感的な把握の効果を得ることができる。
【００２３】
また、このトレンド分析システムの大きな特徴の他の１つは、ワークエリア１０１に表示される２次元グラフ２００のY軸について、上限値１５４と下限値１５５の値を設定でき、この設定を超えるまたは下まわる場合はスクロールバー１１０の対応するZ軸値にマーク１１２を表示させた点にある。
【００２４】
即ち、この種のドレンド分析においては、異常値を把握することが重要である。しかし、従来の立体グラフの表示方法では、その表面変化を視覚的に確認しなければならない課題がある。この課題を解決するために、本実施例では、２次元グラフ２００のY軸を通常エリア１５６と上限エリア１５７と下限エリア１５８に識別可能に３分割し、上限エリア１５７と下限エリア１５８を含む２次元グラフ２００に対応するスクロールバー１１０の各値にマーク１１２を表示させている。これにより、全体における異常値の位置を把握することができる。しかも、この実施例では、上限値１５４と下限値１５５の線上にカーソルを移動させて、それをドラッグする操作で簡単に移動させることができるので、異常値のレベルとその状況を視覚的に把握することができる。
【００２５】
また、このトレンド分析システムの大きな特徴の他の１つは、スクロールバー１１０のZ軸分析項目１５３の値をソートさせることができる点にある。これにより、ソートに伴う異常値の因果関係などの把握が容易となる。
【００２６】
また、このトレンド分析システムの大きな特徴の他の１つは、X軸分析項目１５１とY軸分析項目１５２とZ軸分析項目１５３の変更を簡単に行うことができるから、多様なトレンド分析に対応することができる。即ち、X軸分析項目１５１はＸ軸変更ボタン１５９、
Y軸分析項目１５２はＹ軸変更ボタン１６０、Z軸分析項目１５３はＺ軸変更ボタン１６１をそれぞれ操作することで、図示しないウインドウを表示して、ウインドウ内のリストとからデータベース２３に格納される分析項目の１つを選択して変更することができる。
【００２７】
しかも、Z軸分析項目１５３については、複数の設定が可能なように複数のスクロールバー１１０を備えているので、より多様なトレンド分析に対応することができる。
【００２８】
以下、図２から図１３を参照して、この実施例に係るトレンド分析システムの操作方法を具体的に説明する。ここで、図２はトレンドデータベースのデータ構成図である。
【００２９】
先ず、図２において、このトレンド分析システムに係るトレンドデータベース２３では、前記個人の体温の時系列変化のような関連する３項目以上の分析項目を含んでいれば、多様なトレンド分析を行うことができる。図３は、トレンド分析サーバの動作フロー図である。図４から図１３はトレンド分析画面の画面遷移図である。
【００３０】
図２には、「部署別の生産台数の推移」のトレンドデータベース２３の事例を示している。この事例では、ライン１やライン２などの各製造ライン毎に、「開始から1時間」「1時間から２時間」などの各時間単位の生産台数や、人員、平均年齢などのデータが格納される。例えば、「部署別の生産台数の推移」を、この実施例で分析する場合は、Y軸分析項目１５２に「生産台数」、X軸分析項目１５１に「時間」、Z軸分析項目１５３に「各ライン」をそれぞれ設定することで、各製造ラインの生産台数の時間推移を２次元グラフ２００で確り確認することができ、これをＺ軸方向に移動させれば、他の製造ラインの２次元グラフ２００を確認することができる。
【００３１】
次に、図３の動作フロー図を基に、このトレンド分析システムの操作方法を説明する。
【００３２】
先ず、このトレンド分析システムでは、トレンド入力装置３０がネットワーク１０を介してサーバ制御装置２１にアクセスして、必要なデータを提供しているものとし、サーバ制御装置２１は、この提供されたデータを該当するトレンドデータベース２３に格納するものとする。
【００３３】
このような状況において、このトレンド分析システムを利用する利用者は、トレンド分析端末機４０を介してトレンド分析サーバ２０にアクセスすることができる。サーバ制御装置２１は、トレンド分析端末機４０のアクセスを受け付けると、認証手続きを行って、図示しないメニュー画面をトレンド分析端末機４０に提供し、このメニュー画面から特定のトレンドデータベース２３の選択を受け付けると（ステップ３００）、記憶装置２２から該当するトレンドデータベース２３のデータを読み込んで、図４に示すトレンド分析画面１００を生成して、トレンド分析端末機４０に提供する（ステップ３０１）。
【００３４】
図４において、このトレンド分析画面１００は、ワークエリア１０１の片側に複数のスクロールバー１１０が配置され、その上部には、このトレンドデータベース２３のタイトルを表示するタイトル表示部１１３と、前記メニュー画面を呼び出すためのメニューボタン１１４と、この分析作業を中止する取止めボタン１１５と、このトレンド分析画面１００での作業を格納する登録ボタン１１６が配置され、画面右下部には1つ前の操作に戻すための戻りボタン１１７が配置されている。この他、画面左下部にはＸ軸変更ボタン１５９とＹ軸変更ボタン１６０が配置され、複数のスクロールバー１１０のそれぞれの上部にはＺ軸変更ボタン１６１が配置されている。
【００３５】
なお、この実施例では、最大３本のスクロールバー１１０を設定することができるが、図示しないメニュー画面の初期設定により、１本あるいは２本に変更することができる。また、４本以上のスクロールバー１１０を設定するようにしてもよい。
【００３６】
さて、サーバ制御装置２１は、トレンド分析画面１００を生成するにあたり、トレンドデータベース２３から読み込んだデータを予め設定された初期設定にしたがってトレンド分析画面１００を生成する。
【００３７】
図４は、その1例の初期状態の生成画面である。図２のトレンドデータベース２３を事例に説明すると、Y軸には、「生産台数」が設定され、X軸には「時間」が設定され、第１のZ軸を設定する第１スクロールバー１１０ａには「製造ライン」が設定され、第２スクロールバー１１０ｂや第２スクロールバー１１０ｃには他の分析項目が設定されている。
【００３８】
また、ワークエリア１０１にはY軸の「生産台数」とX軸の「時間」との関係で算出される２次元グラフ２００が表示されている。そして、このワークエリア１０１は、予め設定される上限値１５４と下限値１５５に基いて、上限エリア１５７と通常エリア１５６と下限エリア１５８とに識別可能に上下に３分割されている。
【００３９】
また、複数のスクロールバー１１０のそれぞれは、該当するZ軸分析項目１５３の個数分だけ上下に分割されている。そして、各スクロールバー１１０の右辺には、選択状態にあるZ軸分析項目１５３を示すポインタ１１１が設けられている。例えば、第１スクロールバー１１０ａは最初のZ軸分析項目１５３が選択され、その対応する２次元グラフ２００がワークエリア１０１に表示されていることを示している。
【００４０】
また、スクロールバー１１０のそれぞれは、左右に仮想的に分割されており、左側に上限マーク１１２ａが、右側に下限マーク１１２ｂが表示される。この上限マーク１１２ａまたは下限マーク１１２ｂは、該当する２次元グラフ２００に上限エリア１５７あるいは下限エリア１５８に入っているデータがあることを示している。例えば、第１スクロールバー１１０ａにおいては、３番目と４番目のZ軸分析項目１５３に上限値１５４を超えるものと下限値１５５を下まわるものがあることがわかる。なお、上限マーク１１２ａと下限マーク１１２ｂは上限エリア１５７と下限エリア１５８に色や模様を一致させることで、視認性を向上させている。
【００４１】
また、スクロールバー１１０が複数表示される場合は、現在選択されていることを示すために選択マーク１１８が選択されているスクロールバー１１０の上端に表示されている。この図４では、第１スクロールバー１１０ａが選択状態であることを示している。これにともなって、各スクロールバー１１０のポインタ１１１は、選択状態の選択マーク１１８が表示されたものだけが活性化表示され、他の選択マーク１１８は非選択状態で表示される。
【００４２】
図３に戻り、サーバ制御装置２１は、初期設定のトレンド分析画面１００を提供すると、
ホイール操作が成されかを監視し（ステップ３０２）、ホイール操作が成されるとホイールの操作に対応してZ軸分析項目１５３を変更して対応する２次元グラフ２００を表示する（ステップ３２０）。例えば、図５は、ホイール操作が下方に操作されてZ軸分析項目１５３が移動した画面を示している。ホイール操作でZ軸分析項目１５３が変更すると、これにともなってポインタ１１１も移動するから、利用者は、今、どこの２次元グラフ２００を見ているかがわかる。また、図５の２次元グラフ２００は上限値１５４を越えるものと、下限値１５５を下まわるものがあるが、これは第１スクロールバー１１０ａの上限マーク１１２ａと下限マーク１１２ｂに表示されている。
【００４３】
また、図６は、更にホイール操作を行ったトレンド分析画面１００を示している。この図６のトレンド分析画面１００の２次元グラフ２００は上限値１５４を越えるものがあるが、これは第１スクロールバー１１０ａの上限マーク１１２ａで示される。
【００４４】
このように、この実施例では、ホイール操作を行うだけで、ワークエリア１０１に表示される２次元グラフ２００を動画のように順次変更しながら確認することができる。そして、その全体に占める位置や概要をスクロールバー１１０で確認することができる。
【００４５】
図３に戻り、サーバ制御装置２１は、ワークエリア１０１に表示される上限値１５４と下限値１５５の分割線にカーソルが移動してドラッグされたかを監視している（ステップ３０３）。分割線がドラッグ状態にあると、図７に示すように、サーバ制御装置２１は、カーソル１１９を矢印マークに変更して上限値１５４または下限値１５５の変更を受け付け、ドラッグが解除されると、その位置を新たな上限値１５４または下限値１５５の変更された値として受け付けて、各値の上限値１５４または下限値１５５を再計算して、スクロールバー１１０の上限マーク１１２ａ、下限マーク１１２ｂの表示を変更する（ステップ３２２）。
【００４６】
図３に戻り、サーバ制御装置２１は、現在選択中のスクロールバー１１０以外のスクロールバー１１０の選択マーク１１８にカーソルを移動されて選択（タッチ）されたか否かを監視している（ステップ３０４）。そして、図８に示すように、例えば、第３スクロールバー１１０ｃが選択された状態を示している。サーバ制御装置２１は、他の選択マーク１１８が選択されると、選択マーク１１８を選択状態の表示としてポインタ１１１を活性化状態とするとともに、選択されたスクロールバー１１０のポインタ１１が付されたZ軸分析項目１５３に対応する２次元グラフ２００をワークエリア１０１に表示する（ステップ３２２）。
【００４７】
図３に戻り、サーバ制御装置２１は、Ｘ軸変更ボタン１５９またはＹ軸変更ボタン１６０あるいはＺ軸変更ボタン１６１が選択されたか否かを監視している（ステップ３０５、ステップ３０６）。
【００４８】
サーバ制御装置２１は、Ｘ軸変更ボタン１５９またはＹ軸変更ボタン１６０が選択されると、選択されたX軸分析項目１５１またはY軸分析項目１５２の変更を受け付ける図９に示すウインドウ１８０をトレンド分析画面１００に重ね表示する（ステップ３２３）。
【００４９】
図９において、この図９はＹ軸変更ボタン１６０が選択された状態を示している。なお、Ｘ軸変更ボタン１５９も同様な手続きとなるため説明を省略する。ウインドウ１８０には、
このトレンドデータベース２３の分析項目のリスト表示部１８１と、決定を受け付けるＯＫボタン１８２と、元に戻る戻るボタン１８３が設けられている。
【００５０】
サーバ制御装置２１は、この変更操作を受け付けると、トレンドデータベース２３から分析項目を呼び出して、現在選択されているY軸分析項目１５２を選択状態としてウインドウ１８０を生成する。そして、分析項目のいずれかが選択されてＯＫボタン１８２が選択されれば、その選択された分析項目を新たなY軸分析項目１５２としてトレンド分析画面１００を生成し（ステップ３２６）、そしてステップ３０２に移行する。
【００５１】
一方、図１０において、サーバ制御装置２１は、Ｚ軸変更ボタン１６１が選択されると、選択されたスクロールバー１１０に対応するZ軸分析項目１５３の変更を受け付ける図１０に示すウインドウ１９０をトレンド分析画面１００に重ね表示する（ステップ３２７）。
【００５２】
このウインドウ１９０は、前記ウインドウ１８０と略共通しているが、ウインドウ１８０のリスト表示部１８１をプルダウン方式のソート部１９２を備えたリスト部１９１とした点で相違する。サーバ制御装置２１は、このソート部１９２のプルダウンが操作されると図示しないソート可能なリストを表示して、その１つの選択を受け付けてソート部１９２に確認表示するとともに、対応する分析項目を選択状態とする。そして、ＯＫボタン１８２が選択されると、その選択された分析項目を新たなZ軸分析項目１５３としてトレンド分析画面１００を生成し（ステップ３２６）、そしてステップ３０２に移行する。
【００５３】
また、図３に戻り、サーバ制御装置２１は、特定のスクロールバー１１０にカーソルが移動されて、その位置で選択操作されたか否かを監視している（ステップ３０７）。そして、選択操作されると、選択されたスクロールバー１１０の選択マーク１１８を選択状態とするとともに、その選択位置に対応する入力項目にポインタ１１１を移動して活性化状態として、対応する２次元グラフ２００をワークエリア１０１に表示する（ステップ３０８）。
【００５４】
この選択操作の際にドラッグ操作されると（ステップ３０９）、サーバ制御装置２１は、図１１に示すように、選択操作の開始位置Ｑ１からドラッグ終了位置Ｑ２までの２次元グラフ２００を重ねてワークエリア１０１に表示する（ステップ３０３）。この重ね表示により、ドラッグ操作の範囲の２次元グラフ２００の変化を視覚的に確認することができる。この表示は、戻るボタン１１７でステップ３０８に戻ることができる。
【００５５】
そして、サーバ制御装置２１は、登録ボタン１１６または取止めボタン１１５の操作を監視し（ステップ３１０、ステップ３１１）、登録ボタン１１６が操作されれば、このトレンド分析画面１００を記憶装置２２の所定の場所に格納して（ステップ３３２）、メニュー画面を表示し（ステップ３１２）、取止めボタン１１５が操作されれば、このトレンド分析画面１００の画面を終了してメニュー画面を表示する（ステップ３１２）。
【００５６】
さて、以上の説明では、２次元グラフ２００を折れ線グラフで表示する事例を説明したが、これに限定されるものではない、この実施例に係るトレンド分析システムでは、関連する３項目以上の分析項目から３次元グラフが作成可能であれば適用することができる。この実施例では、図示しないメニュー画面での設定操作や、マウスの右クリックで表示される図示しないウインドウの操作画面からグラフ形式を変更することができる。例えば、図１２がレーダグラフ、図１３が棒グラフのトレンド分析画面１００ａ、トレンド分析画面１００ｂを示している。このトレンド分析画面１００ａ及びトレンド分析画面１００ｂでは、２次元グラフ２００の表示形式以外は、前記図１から図１２で説明した内容と同様である。
【００５７】
図１２において、トレンド分析画面１００ａに示す２次元グラフ２００はレーダグラフで表示した例である。このトレンド分析画面１００ａは、８個の分析項目（X軸分析項目１５１）が中心Ｚからの長さで、その値（Y軸分析項目１５２）が示されている。また、上限値１５４と下限値１５５も中心Ｚからの長さ（円形の半径）で設定される。
【００５８】
一方、図１３において、トレンド分析画面１００ｂに示す２次元グラフ２００は棒グラフで示されている。このトレンド分析画面１００ｂでは、Ｘ軸方向に４個のX軸分析項目１５１が割り当てられ、Ｙ軸方向にY軸分析項目１５２が割り当てられている。また、この実施例では、上限値１５４と下限値１５５もＹ軸方向の値で設定することができる。ここで、上限値１５４と下限値１５５は、Y軸分析項目１５２に対して破線で示すように一律で設定することもできるし、網かけで示しているように、個々のX軸分析項目１５１に対してそれぞれの上限エリア１５７と下限エリア１５８を設定することができる。
【００５９】
このように、この実施例に係るトレンド分析装置は、トレンドデータベースを格納した記憶装置と、トレンド分析を実行する制御装置を備えてネットワーク上に開設したトレンド分析装置であって、その制御装置は、前記ネットワークを介して、トレンド分析端末機からの要求を受け付けて、その要求に基いて対応するトレンド分析画面を提供するものであり、そのトレンド分析画面は、表示画面上に２次元グラフを表示するワークエリアと、ワークエリアの１辺に隣接するスクロールバーとを表示し、トレンドデータベースからX軸分析項目とY軸分析項目とZ軸分析項目を読み込み、前記ワークエリアにX軸分析項目とY軸分析項目により２次元グラフを生成し、予め設定されるZ軸分析項目のソート条件に基づいて、前記スクロールバーの移動指示に伴って順次Ｚ軸分析項目に対応するX軸分析項目とY軸分析項目の前記２次元グラフを前記ワークエリアに生成するものである。
【００６０】
これにより、ワークエリアに表示される２次元グラフがスクロールバーでの指示によりY軸分析項目に対応して順次表示されるので、２次元グラフが積層された立体グラフとして利用者に提供することができるから、大まかなトレンドの変化をスクロールバーを操作することで簡単に把握し、詳細については、ワークエリアに表示される２次元グラフで確認することができる。
【００６１】
また、この制御装置は、前記ワークエリアに表示される２次元グラフのY軸に、任意に設定可能な上限値と下限値を設定し、この設定を超えるまたは下まわる場合は前記スクロールバーの対応するZ軸値にマークを表示させるようにする。この場合、前記スクロールバーに割り当てられる前記Z軸分析項目はソート可能とする。さらに、前記X軸分析項目と前記Y軸分析項目と前記Z軸分析項目は、前記トレンド分析画面上での選択操作に基いて前記トレンドデータベースの分析項目をリスト表示し、このリスト表示での選択に基いて各軸の分析項目の変更を受け付けて前記トレンド分析画面の再生成を行うようにする。
【符号の説明】
【００６２】
１０…ネットワーク、２０…トレンド分析サーバ、２１…サーバ制御装置、２２…記憶装置、２３…トレンドデータベース、３０…トレンド入力装置、４０…トレンド分析端末機、４１…端末制御装置、４２…端末記憶装置、４３…端末入力装置、４４…端末通信装置、４５…表示装置、１００…トレンド分析画面、１０１…ワークエリア、１１０…スクロールバー、１１０ａ…第１スクロールバー、１１０ｂ…第２スクロールバー、１１０ｃ…第３スクロールバー、１１１…ポインタ、１１２…マーク、１１２ａ…上限マーク、１１２ｂ…下限マーク、１１３…タイトル表示部、１１４…メニューボタン、１１５、…取止めボタン１１６…登録ボタン、１１７…戻りボタン、１１８…選択マーク、１１９…カーソル、１５０…３次元グラフ、１５１…X軸分析項目、１５２…Y軸分析項目、１５３…Z軸分析項目、１５４…上限値、１５５…下限値、１５６…通常エリア、１５７…上限エリア、１５８…下限エリア、１５９…Ｘ軸変更ボタン、１６０…Ｙ軸変更ボタン、１６１…Ｚ軸変更ボタン、１８０…ウインドウ、１８１…リスト表示部、１８２…ＯＫボタン、１８３…戻るボタン、２００…２次元グラフ。
【図２】
0005386288.tif 000002
【図３】
0005386288.tif 000003
【図４】
0005386288.tif 000004
【図５】
0005386288.tif 000005
【図６】
0005386288.tif 000006
【図７】
0005386288.tif 000007
【図８】
0005386288.tif 000008
【図９】
0005386288.tif 000009
【図１０】
0005386288.tif 000010
【図１１】
0005386288.tif 000011
【図１２】
0005386288.tif 000012
【図１３】
0005386288.tif 000013
【図１】
0005386288.tif 000014